(57)【要約】【課題】段板を趣のある意匠性の高いものとすることができるとともに、利用者に不安感を与えずに利用することが可能な階段を提供することを目的とする。【解決手段】複数の段板１１，１２，１３と、当該複数の段板１１，１２，１３を支持する支持桁２と、を備える階段１において、段板１１，１２，１３には、当該段板１１，１２，１３を厚み方向に貫通する多数の貫通孔１６〜２０が形成され、当該多数の貫通孔１６〜２０は、前記段板１１，１２，１３に対し、当該段板１１，１２，１３の中央付近を避けて、かつ不規則に配置されている。【選択図】図１
2015155623.tif 000002
【特許請求の範囲】
【請求項１】
複数の段板と、当該複数の段板を支持する支持桁と、を備える階段において、
前記段板には、当該段板を厚み方向に貫通する多数の貫通孔が形成され、
当該多数の貫通孔は、前記段板に対し、当該段板の中央付近を避けて、かつ不規則に配置されていることを特徴とする階段。
【請求項２】
請求項１に記載の階段において、
前記多数の貫通孔は、その形状およびサイズが複数の種類からなることを特徴とする階段。
【請求項３】
請求項２に記載の階段において、
前記多数の貫通孔における複数の種類のうち最もサイズの大きい種類の貫通孔は、前記段板の周縁部付近であって、かつ当該段板の幅方向の端部側または奥行方向の奥側に配置されていることを特徴とする階段。
【請求項４】
請求項１〜３のいずれか一項に記載の階段において、
前記複数の段板は、前記多数の貫通孔の配置が異なる複数の種類からなることを特徴とする階段。
【請求項５】
請求項１〜４のいずれか一項に記載の階段は、前記複数の段板それぞれの奥行方向の奥側に蹴込板が無いスケルトン式であることを特徴とする階段。
【発明の詳細な説明】
【技術分野】
【０００１】
本発明は、多数の貫通孔が形成された複数の段板を備える階段に関する。
【背景技術】
【０００２】
従来、住宅等の建物の階段として、側桁階段や力桁階段、ささら桁階段等のような所謂スケルトン階段（ストリップ階段、シースルー階段、オープン階段等ともいう）が知られている（例えば、特許文献１参照）。このような階段によれば、蹴込板が無く、手摺も柵状に形成されているので、段板間の隙間や手摺の隙間等の開口を通じて採光性や開放感を向上できるという利点がある。
また、従来、エキスパンドメタルやパンチングメタル等の多孔金属板を段板に採用した足場階段や外部階段が知られている（例えば、特許文献２参照）。
【先行技術文献】
【特許文献】
【０００３】
【特許文献１】特開２００５−２５６３００号公報
【特許文献２】特開平１１−０７１９７９号公報
【発明の概要】
【発明が解決しようとする課題】
【０００４】
ところで、特許文献１のスケルトン階段における採光性等の一層の向上を目的として、その段板にも開口を設けようと発想した時に、特許文献２に記載のような段板を適用することが考えられる。
ところが、段板に採用されるエキスパンドメタルやパンチングメタルは、同サイズ・同種類の多数の透孔が整然と規則的に配置されているため、階段を利用する人に対して機械的で無機質な印象を与える場合がある。
また、段板に形成される透孔の一つ一つが大きく、段板の全面に亘って施されている場合は、例えば段板に足を載せる際に、階段を利用する人に対して不安感を与える場合がある。
【０００５】
本発明の課題は、段板を趣のある意匠性の高いものとすることができるとともに、利用者に不安感を与えずに利用することが可能な階段を提供することを目的とする。
【課題を解決するための手段】
【０００６】
請求項１に記載の発明は、例えば図１〜図１２に示すように、複数の段板１１，１２，１３と、当該複数の段板１１，１２，１３を支持する支持桁２と、を備える階段１において、
前記段板１１，１２，１３には、当該段板１１，１２，１３を厚み方向に貫通する多数の貫通孔１６〜２０が形成され、
当該多数の貫通孔１６〜２０は、前記段板１１，１２，１３に対し、当該段板１１，１２，１３の中央付近（図２の二点鎖線Ｓ１を参照）を避けて、かつ不規則に配置されていることを特徴とする。
【０００７】
請求項１に記載の発明によれば、段板１１，１２，１３に形成される多数の貫通孔１６〜２０は、段板１１，１２，１３に対して不規則に配置されているので、多数の貫通孔１６〜２０によって形成される段板１１，１２，１３の模様が不規則なものとなる。これによって、例えば従来のエキスパンドメタルやパンチングメタルを採用した段板とは異なり、階段１を利用する人に対して機械的で無機質な印象を与えることを防ぐことができるので、趣のある意匠性の高い段板１１，１２，１３とすることができる。
また、多数の貫通孔１６〜２０は、段板１１，１２，１３に対して、当該段板１１，１２，１３の中央付近を避けて配置されているので、足を載せやすい踏面を確保することができる。これによって、段板１１，１２，１３に足を載せる際に、階段１を利用する人に対して不安感を与えることを防ぐことができる。
【０００８】
請求項２に記載の発明は、例えば図１〜図７に示すように、請求項１に記載の階段１において、
前記多数の貫通孔１６〜２０は、その形状およびサイズが複数の種類からなることを特徴とする。
【０００９】
請求項２に記載の発明によれば、多数の貫通孔１６〜２０は、その形状およびサイズが複数の種類からなるので、多数の貫通孔１６〜２０によって形成される段板１１，１２，１３の模様の不規則性が高まり、段板１１，１２，１３を、より趣のある意匠性の高いものとすることができる。
【００１０】
請求項３に記載の発明は、例えば図２，図６，図７に示すように、請求項２に記載の階段１において、
前記多数の貫通孔１６〜２０における複数の種類のうち最もサイズの大きい種類の貫通孔１６は、前記段板１１，１２，１３の周縁部付近（図２の二点鎖線Ｓ２付近）であって、かつ当該段板１１，１２，１３の幅方向の端部側または奥行方向の奥側に配置されていることを特徴とする。
【００１１】
請求項３に記載の発明によれば、多数の貫通孔１６〜２０における複数の種類のうち最もサイズの大きい種類の貫通孔１６は、段板１１，１２，１３の周縁部付近であって、かつ当該段板１１，１２，１３の幅方向の端部側または奥行方向の奥側に配置されているので、サイズの大きい種類の貫通孔１６は、足を載せやすい段板１１，１２，１３の中央付近から離すことができる。これによって、段板１１，１２，１３に足を載せた際に、例えば足の指がサイズの大きい種類の貫通孔１６に入り込んだり、当該貫通孔１６の縁に足の指を突っ掛けたりすることを防ぐことができるので、階段利用時における安全性を向上できる。
【００１２】
請求項４に記載の発明は、例えば図１，図２，図６，図７に示すように、請求項１〜３のいずれか一項に記載の階段１において、
前記複数の段板１１，１２，１３は、前記多数の貫通孔１６〜２０の配置が異なる複数の種類からなることを特徴とする。
【００１３】
請求項４に記載の発明によれば、複数の段板１１，１２，１３は、多数の貫通孔１６〜２０の配置が異なる複数の種類からなるので、一つ一つが趣のある意匠性の高い段板１１，１２，１３を複数備えることとなり、階段１自体の意匠性を高めることができる。
【００１４】
請求項５に記載の発明は、例えば図１に示すように、請求項１〜４のいずれか一項に記載の階段１は、前記複数の段板１１，１２，１３それぞれの奥行方向の奥側に蹴込板が無いスケルトン式であることを特徴とする。
【００１５】
請求項５に記載の発明によれば、階段１が、複数の段板１１，１２，１３それぞれの奥行方向の奥側に蹴込板が無いスケルトン式であることから、複数の段板１１，１２，１３の下方空間における開放感を高めることができる。そして、複数の段板１１，１２，１３に対して不規則に配置された多数の貫通孔１６〜２０を通過する光がランダムに複数の段板１１，１２，１３の下方空間に届くことになるので、当該複数の段板１１，１２，１３の下方空間において、例えば木漏れ日のような自然に近い採光を確保できる。
【発明の効果】
【００１６】
本発明によれば、段板を趣のある意匠性の高いものとすることができるとともに、利用者に対して不安感を与えずに階段を利用することが可能となる。
【図面の簡単な説明】
【００１７】
【図１】複数の段板を備えた階段を示す斜視図である。
【図２】第一段板を示す平面図である。
【図３】図２に示す第一段板のＡ−Ａ線断面図である。
【図４】図２に示す第一段板のＢ−Ｂ線断面図である。
【図５】貫通孔の詳細を示す拡大断面図である。
【図６】第二段板を示す平面図である。
【図７】第三段板を示す平面図である。
【図８】階段の一部を示す正面図である。
【図９】図８におけるＣ−Ｃ線断面図である。
【図１０】階段が採用された建物の一階を示す平面図である。
【図１１】階段が採用された建物の一階を示す平面図である。
【図１２】階段が採用された建物の一階を示す平面図である。
【発明を実施するための形態】
【００１８】
以下、図面を参照して本発明の実施の形態について説明する。
図１において符号１は階段を示す。階段１は、複数の段板１１，１２，１３と、当該複数の段板１１，１２，１３を支持する支持桁２と、を備える。
また、当該階段１は、金属製であり、かつ複数の段板１１，１２，１３それぞれの奥行方向の奥側に蹴込板が無いスケルトン式とされている。特に本実施の形態の階段１は、支持桁２を複数用い、互いに離間する複数の支持桁２，２間に段板１１，１２，１３を架設してなる側桁階段とされている。なお、このように本実施の形態においては側桁階段を採用したが、これに限られるものではなく、例えば力桁階段や、ささら桁階段等のような他のスケルトン式階段、または必要に応じて箱型階段を採用してもよいものとする。
【００１９】
階段１には、図１〜図７に示すように、模様が異なる複数種類の段板１１，１２，１３が用いられている。本実施の形態においては、図２に示す第一段板１１と、図６に示す第二段板１２と、図７に示す第三段板１３の三種類が用いられている。
【００２０】
そして、複数種類の段板１１，１２，１３には、当該段板１１，１２，１３を厚み方向に貫通する多数の貫通孔１６〜２０が形成されている。これら多数の貫通孔１６〜２０は、その形状およびサイズが複数の種類からなる。
複数の段板１１，１２，１３のそれぞれの違いは、多数の貫通孔１６〜２０の配置がそれぞれ異なる点にある。このように多数の貫通孔１６〜２０の配置が異なれば、段板１１，１２，１３を見る人にとっては、それぞれの模様が異なって見えることになり、種類が異なるものとして認識される。
換言すれば、本実施の形態における複数の段板１１，１２，１３それぞれの違いは多数の貫通孔１６〜２０の配置のみであり、その他の構成は同一である。
【００２１】
貫通孔１６は、花梗と五枚の花弁とからなる桜の花を象った孔であり、複数種類の貫通孔１６〜２０のうち最もサイズの大きい種類の貫通孔である。また、貫通孔１６は、図５に示すように、段板１１，１２，１３の上面側縁部と下面側縁部とが面取りされている（面取り部１６ａ）。
貫通孔１７〜２０は、桜の花弁を象った孔であり、それぞれ異なる形状と大きさに設定されている。より具体的には、貫通孔１７〜２０のうち、貫通孔１７がサイズが大きく設定され、次いで貫通孔１８、次いで貫通孔１９、貫通孔２０が最も小さいサイズに設定されている。
なお、当該貫通孔１７〜２０も、貫通孔１６と同様に段板１１，１２，１３の上面側縁部と下面側縁部とが面取りされてなる面取り部（図示せず）を有するものとする。
また、本実施の形態における貫通孔１６〜２０は、桜の花を象ったデザインとなっているが、これに限られるものではなく、本発明の主旨を逸脱しない範囲で適宜変更可能である。例えばその他の植物を象ったデザインでもよいし、植物以外のデザインでもよい。
【００２２】
多数の貫通孔１６〜２０の配置についてより詳細に説明すると、当該多数の貫通孔１６〜２０は、段板１１，１２，１３に対し、当該段板１１，１２，１３の中央付近（図２における円形の二点鎖線Ｓ１参照）を避けて、かつ不規則に配置されている。
また、多数の貫通孔１６〜２０における複数の種類のうち最もサイズの大きい種類の貫通孔１６は、段板１１，１２，１３の周縁部付近であって、かつ当該段板１１，１２，１３の幅方向の端部側または奥行方向の奥側に配置されている。なお、段板１１，１２，１３の周縁部付近とは、図２に示す矩形状の二点鎖線Ｓ２の付近を指している。また、当該貫通孔１６は、二点鎖線Ｓ２よりも内側に配置されている。
多数の貫通孔１６〜２０における複数の種類のうち最もサイズの大きい種類の貫通孔１６以外の貫通孔１７〜２０は、段板１１，１２，１３中央の円形の二点鎖線Ｓ１よりも外側であって、かつ段板１１，１２，１３周縁部の二点鎖線Ｓ２よりも内側に配置されている。
なお、二転鎖線Ｓ２は、段板１１，１２，１３の周縁端末および溝１４（後述する）からは離間して配置されている。そして、多数の貫通孔１６〜２０は、上述のように当該二点鎖線Ｓ２よりも内側に配置されており、段板１１，１２，１３の周縁端末に欠損部分が生じないようになっている。
【００２３】
続いて、複数の段板１１，１２，１３を支持桁２，２間に架設してなる段板１１，１２，１３の取付構造について説明する。
支持桁２，２のそれぞれの階段中央側面には、図８，図９に示すように、複数の段板１１，１２，１３を一段毎に受けて支持するためのプレート３，３が、段板１１，１２，１３の取付予定位置に対応して設けられている。プレート３は、支持桁２の階段中央側面から水平に突出し、かつ段板１１，１２，１３の奥行方向に長尺に形成されている。
なお、本実施の形態のプレート３は、支持桁２に対して溶接等により固定されているが、これに限られるものではなく、適宜変更可能である。
【００２４】
段板１１，１２，１３は、その幅方向両側端部に形成され、プレート３が差し込まれる溝１４を有する。当該溝１４は、図２〜図９に示すように、段板１１，１２，１３に対して、当該段板１１，１２，１３の奥行方向に沿って、かつ奥行方向両端部が開放されるようにして形成されている。
したがって、段板１１，１２，１３は、支持桁２，２のそれぞれの階段中央側面に設けられたプレート３，３を溝１４，１４に差し込むようにして、支持桁２，２間に架設されている。
【００２５】
なお、段板１１，１２，１３の取り付けは、階段正面側から奥側に向かって、またはその逆方向に、水平な状態を維持したままで行われる。
そして、図９に示すように、段板１１，１２，１３の幅方向両端部とプレート３，３とはボルト４によって固定されている。また、段板１１，１２，１３の幅方向両端部の下面側とプレート３，３には、ボルト４がねじ込まれるボルト用孔が形成されている。
【００２６】
階段１の昇降方向に隣り合う段板１１，１２，１３間には、従来公知の蹴込板が設けられておらず、図１，図８に示すように、本実施の形態においては蹴込棒５が設けられている。
すなわち、段板１１，１２，１３の奥行方向の奥側における幅方向中央には蹴込棒５の下端部を固定するためのビス６が挿入されるビス孔１５が形成されている。また、蹴込棒５の上端部と段板１１，１２，１３の下面とは、図示はしないが、凹凸嵌合できる構造が採用されている。すなわち、蹴込棒５の上端部と段板１１，１２，１３の下面とを凹凸嵌合させて位置決めした後に、蹴込棒５の下端部をビス６で固定することが可能な構造が採用されている。
このような蹴込棒５が設けられることによって、階段１はスケルトン式階段の利点である開放感および採光性を維持しつつ、段板１１，１２，１３の撓みを抑制することが可能となる。
【００２７】
また、本実施の形態の階段１は、図１に示すように手摺７を備える。手摺７の種類は特に限定されるものではなく、適宜変更可能である。本実施の形態の手摺７は、当該手摺７と支持桁２との間に、図示しないガラスが嵌め込められるガラス手摺とされている。
【００２８】
次に、以上のような階段１を住宅等の建物３０に採用した場合の例について説明する。なお、図１０〜図１２の紙面上において左が北側、右が南側、上が東側、下が西側とされている。また、図１０は建物３０の一階を示し、図１１は二階を示し、図１２は三階を示している。
【００２９】
一階の中央南側には玄関ポーチ３１が配設され、その西側にはテラス３２が配設されている。玄関ポーチ３１の東側にはカーポート出入口３５（すなわち、開放空間）が配設され、当該カーポート出入口３５の北側にはカーポート３６が配設されている。なお、カーポート３６の北側部分は犬等の動物の飼育スペースとされている。
【００３０】
玄関ポーチ３１およびテラス３２の北側であって、かつカーポート３６の西側には建物３０の屋内空間がある。当該屋内空間における玄関ポーチ３１の北側には、玄関土間および玄関ホールを含む玄関３３が配設されている。また、当該玄関３３には、一階と二階とを行き来するための階段１が設けられている。
玄関３３の北側から西側にかけて、平面視略Ｌ字状に形成された多目的広場としてのコミュニティポーチ３４が配設されている。コミュニティポーチ３４の周囲の外壁には窓が複数設けられており、当該窓を開放することによって、コミュニティポーチ３４を屋外に開けた開放的な空間として人に認識させることができる。
【００３１】
階段１を上がった先には、二階の中央に位置するホール３７が配設されている。ホール３７の南側には、浴室・洗面所・トイレを有するサニタリー３８が配設されている。また、当該サニタリー３８の南側には、バルコニー３８ａが配設されている。
ホール３７の北側にはキッチン３９が配設されている。また、当該キッチン３９、ホール３７、サニタリー３８、バルコニー３８ａの西側には、リビングルームとダイニングルームの機能を一室に併存させた部屋４０が配設されている。また、当該部屋４０の西側にはバルコニー４０ａが配設されている。
ホール３７、サニタリー３８、バルコニー３８ａ、キッチン３９の東側には主寝室４１が配設されている。また、当該主寝室４１の東側にはバルコニー４１ａが配設されており、当該主寝室４１の北側部分は畳スペース４１ｂとされている。
【００３２】
ホール３７には、二階と三階とを行き来するための階段１が設けられている。当該階段１を上がった先には三階のホール４２が配設されている。
ホール４２の南側には部屋４３が配設され、さらに南側には第一ルーフテラス４４が配設されている。また、部屋４３の東側には小屋裏収納室４５が配設されている。また、部屋４３の西側は、二階の部屋４０と連通する吹き抜け４６とされている。
ホール４２の北側には、第二ルーフテラス４７が配設されている。そして、当該ホール４２と第二ルーフテラス４７との間に設けられた壁４８には、ホール４２と第二ルーフテラス４７との間の行き来だけでなく、階段１に対して日差しを差し込ませることを目的とした複数の採光窓４８ａが設けられている。
【００３３】
以上のような構成の建物３０に設けられる階段１，１は、複数の段板１１，１２，１３を備えるスケルトン式の折り返し階段であり、その折り返し部分には踊場１ａが設けられている。
また、採光窓４８ａは、上述のように階段１に対して日差しを差し込ませることができるため、二階と三階との間の階段１に降り注ぐ太陽の光は、隣り合う段板１１，１２，１３間と、多数の貫通孔１６〜２０とを通過して、当該階段１の下方空間であるホール３７および隣接する各部屋に届く。そして、多数の貫通孔１６〜２０を通過する光は、複数の段板１１，１２，１３の下方空間であるホール３７および隣接する各部屋にランダムに届くことになる。
さらに、ホール３７および隣接する各部屋に届く太陽の光は、さらに、一階と二階との間の階段１における隣り合う段板１１，１２，１３間と、多数の貫通孔１６〜２０とを通過して、当該階段１の下方空間である玄関３３に届くことになる。また同じく、多数の貫通孔１６〜２０を通過する光は、複数の段板１１，１２，１３の下方空間である玄関３３にランダムに届くことになる。
【００３４】
なお、例えば、階段１，１が設けられる空間（階段室）と、当該空間に隣接する部屋との間の壁に開口を設ければ、当該空間を通過する光を隣接する部屋にも差し込ませることができるので好ましい。
また、本実施の形態における複数の段板１１，１２，１３の多数の貫通孔１６〜２０を通過する光は、複数の段板１１，１２，１３の下方空間にランダムに届くので、当該下方空間において、例えば木漏れ日のような自然に近い採光を確保できる。これに伴って、当該下方空間にいる人は、複数の段板１１，１２，１３を見上げた時に、木漏れ日のような光が目に入り、より自然に近い眩しさを感じることができる。
さらに、段板１１，１２，１３に形成された多数の貫通孔１６〜２０は、各段板１１，１２，１３に対して、例えば見た人に花吹雪のような印象を与えることができるように不規則に配置されている。
【００３５】
本実施の形態によれば、段板１１，１２，１３に形成される多数の貫通孔１６〜２０は、段板１１，１２，１３に対して不規則に配置されているので、多数の貫通孔１６〜２０によって形成される段板１１，１２，１３の模様が不規則なものとなる。これによって、例えば従来のエキスパンドメタルやパンチングメタルを採用した段板とは異なり、階段１を利用する人に対して機械的で無機質な印象を与えることを防ぐことができるので、趣のある意匠性の高い段板１１，１２，１３とすることができる。
また、多数の貫通孔１６〜２０は、段板１１，１２，１３に対して、当該段板１１，１２，１３の中央付近を避けて配置されているので、足を載せやすい踏面を確保することができる。これによって、段板１１，１２，１３に足を載せる際に、階段１を利用する人に対して不安感を与えることを防ぐことができる。
【００３６】
また、階段１が、複数の段板１１，１２，１３それぞれの奥行方向の奥側に蹴込板が無いスケルトン式であることから、複数の段板１１，１２，１３の下方空間における開放感を高めることができる。そして、複数の段板１１，１２，１３に対して不規則に配置された多数の貫通孔１６〜２０を通過する光がランダムに複数の段板１１，１２，１３の下方空間に届くことになるので、当該複数の段板１１，１２，１３の下方空間において、例えば木漏れ日のような自然に近い採光を確保できる。
【００３７】
また、多数の貫通孔１６〜２０は、その形状およびサイズが複数の種類からなるので、多数の貫通孔１６〜２０によって形成される段板１１，１２，１３の模様の不規則性が高まり、段板１１，１２，１３を、より趣のある意匠性の高いものとすることができる。
【００３８】
また、多数の貫通孔１６〜２０における複数の種類のうち最もサイズの大きい種類の貫通孔１６は、段板１１，１２，１３の周縁部付近であって、かつ当該段板１１，１２，１３の幅方向の端部側または奥行方向の奥側に配置されているので、サイズの大きい種類の貫通孔１６は、足を載せやすい段板１１，１２，１３の中央付近から離すことができる。これによって、段板１１，１２，１３に足を載せた際に、例えば足の指がサイズの大きい種類の貫通孔１６に入り込んだり、当該貫通孔１６の縁に足の指を突っ掛けたりすることを防ぐことができるので、階段利用時における安全性を向上できる。
【００３９】
また、階段１に設けられた複数の段板１１，１２，１３は、多数の貫通孔１６〜２０の配置が異なる複数の種類からなるので、一つ一つが趣のある意匠性の高い段板１１，１２，１３を複数備えることとなり、階段１自体の意匠性を高めることができる。
【符号の説明】
【００４０】
１  階段
２  支持桁
１１  第一段板
１２  第二段板
１３  第三段板
１６  貫通孔
１７  貫通孔
１８  貫通孔
１９  貫通孔
２０  貫通孔
３０  建物
【図１】
2015155623.tif 000003
【図２】
2015155623.tif 000004
【図３】
2015155623.tif 000005
【図４】
2015155623.tif 000006
【図５】
2015155623.tif 000007
【図６】
2015155623.tif 000008
【図７】
2015155623.tif 000009
【図８】
2015155623.tif 000010
【図９】
2015155623.tif 000011
【図１０】
2015155623.tif 000012
【図１１】
2015155623.tif 000013
【図１２】
2015155623.tif 000014